(57)【要約】【課題】ジッパー付き紙箱において、ジッパーの切除により開封後、蓋をした際に、分離された蓋どうしを確実に係止して蓋をすることができる再封機能付紙箱を提供する。【解決手段】ジッパーを切除して蓋板７ａ，７ｂを切断線９ａ，９ｂにより分離して開封後、蓋をする際は、蓋支持板１１ａ，１１ｂを蓋板７ａ，７ｂより上方に起こした後、蓋支持板１１ａ，１１ｂで蓋板７ａ，７ｂを指で上から押さえ、対向する蓋板７ａ，７ｂの切断線９ａ，９ｂにより形成される溝１３内に係止片１２ａ，１２ｂを押さえていくと、蓋板７ａ，７ｂが下側に沈んで溝１３の幅が広がり、係止片１２ａ，１２ｂが蓋板７ａ，７ｂの下側に押し込まれる。指を離して係止片１２ａ，１２ｂの押さえを解除すると、係止片１２ａ，１２ｂの両端が切断線９ａ，９ｂの縁に引っ掛かって係止される。【選択図】図２
2006321553.tif 000002
【特許請求の範囲】
【請求項１】
箱の上辺に、ジッパーを形成する切断線がそれぞれ設けられた一対の蓋板が対向して連設されるとともに蓋板が対向する方向と直交する方向に一対の蓋支持板が対向して連設されたジッパー付紙箱であって、蓋支持板は、箱を開封後に蓋をする際、蓋板を上から押さえることができるとともに、ジッパーの切除により蓋板の切断線で形成される溝の縁に引っ掛けて係止可能で且つ溝から引き抜き可能な係止片が連設されていることを特徴とする再封機能付紙箱。
【請求項２】
箱が第１側面板、前面板、第２側面板、後面板、底面板、蓋板及び蓋支持板を連接して形成され、蓋板が前面板及び後面板の上辺にそれぞれ連設され、蓋支持板が第１側面板及び第２側面板の上辺にそれぞれ連設されていることを特徴とする請求項１記載の再封機能付紙箱。
【発明の詳細な説明】
【技術分野】
【０００１】
本発明は、スナック菓子、氷菓子などを収納する紙箱において、ジッパーを切除して開封した後に、確実に蓋をすることができる再封機能付紙箱に関する。
【背景技術】
【０００２】
スナック菓子、氷菓子などの被収納物は紙箱に収納されて販売されている。紙箱には、切除によって開封し、開封後に蓋をすることができるジッパーが形成されている（特許文献１参照）。
【０００３】
図３は従来のジッパー付紙箱の一例を示す斜視図、図４は図３に示す紙箱のジッパーを切除した後に蓋をする手順を示す図である。
【０００４】
図３において、被収納物を収納している開封前の状態では、紙箱の蓋は下側の蓋板７ａと上側の蓋板７ｂを重ねて一部を貼着することにより形成される。上側の蓋板７ｂには、断続的な切れ目からなり、切除後はのこ刃状となる切断線９ａ，９ｂを２列平行に設けることによりジッパーが形成されている。さらに、切断後に紙箱に残る上側の蓋板７ｂの切断線９ｂには差し込み片１４が合わせて形成され、下側の蓋板７ａには差し込み片１４が差し込まれる差し込み用スリット１５が形成されている。
【０００５】
この紙箱の使用方法は次のとおりである。
【０００６】
図４（ａ）において、紙箱の開封はジッパーを切除することにより行う。開封後に蓋をする場合には、図４（ｂ）に示すように、蓋支持板１１ａ，１１ｂを蓋板７ａ，７ｂで押さえて下側にし、上側の蓋板７ｂに形成された差し込み片１４を下側の蓋板７ａの差し込み用スリット１５に差し込んで係止することにより行う。
【０００７】
図５は従来のジッパー付紙箱の一例を示す斜視図で、図３に示す紙箱と同一部材には同一符号を付してその説明は省略する。
【０００８】
図３に示すジッパー付紙箱では蓋板７ａ，７ｂの幅が長いので、図５に示す紙箱のように紙の使用量を減らすため、蓋板７ａ，７ｂの幅を図３に示すジッパー付紙箱の蓋板７ａ，７ｂより短くし、各蓋板７ａ，７ｂに破断線９ａ，９ｂを各１本設け、ジッパーによる開封を可能にして紙の使用量を少なくした紙箱も提案されている。
【特許文献１】特開平８−２６２５８号公報
【発明の開示】
【発明が解決しようとする課題】
【０００９】
図３に示す従来の紙箱では、ジッパーの切除により形成された差し込み片を差し込み用スリットに差し込んで再封する形状では、差し込み片を差し込み用スリットに差し込んでいるだけなので、被収納物が蓋にぶつかったりあるいは蓋支持板の反撥力により蓋を押し上げる力が作用し差し込み片が差し込み用スリットから抜けて蓋が開きやすく、その結果、被収納物が箱の外へ出たりして蓋の機能をしなくなるという欠点がある。また、蓋板に差し込み片及び差し込み用スリットを形成し、蓋板を重ねて係止する必要があるため、蓋板の幅が長くなり紙の使用量が増えるためコストアップにつながるという欠点がある。
【００１０】
一方、図５に示す従来の紙箱では、蓋板の幅を短くすることで紙の使用量を減らしコストダウンできる反面、図５（ｂ）に示すように、再封できないという欠点がある。
【００１１】
そこで、本発明は、ジッパー付紙箱において、蓋板の幅を短くして紙の使用量を少なくするとともに、ジッパーの切除により開封後、蓋をする際に、分離された蓋どうしを確実に係止させることができる再封機能付紙箱を提供するものである。
【課題を解決するための手段】
【００１２】
本発明の再封機能付紙箱は、箱の上辺に、ジッパーを形成する切断線がそれぞれ設けられた一対の蓋板が対向して連設されるとともに蓋板が対向する方向と直交する方向に一対の蓋支持板が対向して連設されたジッパー付紙箱において、蓋支持板は、箱を開封後に蓋をする際、蓋板を上から押さえることができるとともに、ジッパーの切除により蓋板の切断線で形成される溝の縁に引っ掛けて係止可能で且つ溝から引き抜き可能な係止片が連設されていることを特徴とする。
【００１３】
前記構成において、箱が第１側面板、前面板、第２側面板、後面板、底面板、蓋板及び蓋支持板を連接して形成され、蓋板が前面板及び後面板の上辺に、蓋支持板が第１側面板及び第２側面板の上辺にそれぞれ連設して構成することができる。
【発明の効果】
【００１４】
本発明の再封機能付紙箱は、蓋支持板により押さえられた蓋板の切断線の縁に係止片が引っ掛かって容易に抜けないように係止されるので、簡単に蓋が開くことはない。
【００１５】
また、蓋板を開ける場合は、係止片を引き上げることにより、係止片の両端が切断線の縁から外れて係止を容易に解除することができる。
【発明を実施するための最良の形態】
【００１６】
本発明の実施例について図を参照して説明する。
【実施例】
【００１７】
図１は本発明の再封機能付紙箱を展開した板紙の平面図である。
【００１８】
図１において、板紙は、紙箱の第１側面板１、前面板２、第２側面板３、後面板４が点線で示す山折り線５を介して順次一体に連設されている。後面板４の端には、山折り線５を介して他端の第１側面板１の端に貼着する貼着用板６が形成される。
【００１９】
前面板２及び後面板４のそれぞれの上辺に、蓋板７ａ，７ｂが山折り線５を介して一体に形成され、下辺に底面板８ａ，８ｂが連設される。
【００２０】
前面板２及び後面板４の上辺に連設された蓋板７ａ，７ｂには、断続的な切れ目からなり、切除後はのこ刃状となる切断線９ａ，９ｂが形成される。切断線９ｂの上部領域は、封緘時に蓋板７ａ，７ｂを貼着するのり代１０ａとなる。また蓋板７ａ，７ｂを貼着することにより、切断線９ａ，９ｂが２列平行になってジッパーが形成される。
【００２１】
後面板４の下辺に連設された底面板８ｂにものり代１０ｂが形成される。
【００２２】
第１側面板１及び第２側面板３のそれぞれの上辺に、蓋板７ａ，７ｂを支持するための蓋支持板１１ａ，１１ｂが山折り線５を介して連接され、下辺に底面板８ａ，８ｂを支持するための蓋支持板１１ｃ，１１ｄが連設される。
【００２３】
上辺側の蓋支持板１１ａ，１１ｂの上辺には係止片１２ａ，１２ｂが形成される。係止片１２ａ，１２ｂは、ジッパーの切除後に、切断線９ａ，９ｂにより形成される溝１３（図２参照）に押し込まれた際、係止片１２ａ、１２ｂの両端が切断線９ａ、９ｂの縁に引っ掛かって確実に係止され、且つ引き上げ力により係止片１２ａ、１２ｂの両端が溝１３の縁から外れて抜ける形状に形成する。
【００２４】
次に紙箱の製造及び組立て方法について説明する。
【００２５】
第１側面板１、前面板２、第２側面板３、後面板４を山折り線５に沿って折り曲げ、後面板４の貼着用板６を第１側面板１に貼着し、次いで、底面板８ａ，８ｂ側の蓋支持板１１ｃ，１１ｄを山折り線５に沿って起こし、底面板８ａ，８ｂを貼着して上部が開放された紙箱を形成する。
【００２６】
形成された紙箱の中に被収納物を収納した後、蓋支持板１１ａ，１１ｂを山折り線に沿って起こし、蓋９ａ，９ｂを貼着して塞ぐ。
【００２７】
図２は本発明の紙箱を開封後に蓋をする手順を示す図である。
【００２８】
図２（ａ）に示すようにジッパーの端を指でつまんで蓋板７ａ，７ｂの切断線９ａ，９ｂに沿って引き上げ、図２（ｂ）に示すように蓋板７ａ，７ｂのジッパーを切断線９ａ，９ｂにより分離して開封する。開封後、蓋板７ａ，７ｂ、蓋支持板１１ａ，１１ｂを起こして被収納物を取り出す。
【００２９】
開封後に蓋をする際は、図２（ｃ）に示すように、蓋支持板１１ａ，１１ｂを蓋板７ａ，７ｂより上方に起こした後、図２（ｄ）に示すように、蓋支持板１１ａ，１１ｂで蓋板７ａ，７ｂを指で上から押さえ、対向する蓋板７ａ，７ｂの切断線９ａ，９ｂにより形成される溝１３内に係止片１２ａ，１２ｂを押さえていくと、蓋板７ａ，７ｂが下側に沈んで溝１３の幅が広がり、係止片１２ａ，１２ｂが蓋板７ａ，７ｂの下側に押し込まれる。指を離して係止片１２ａ，１２ｂの押さえを解除すると、係止片１２ａ，１２ｂの両端が切断線９ａ，９ｂの縁に引っ掛かって確実に係止される。
【００３０】
本発明の再封機能付紙箱では、蓋支持板１１ａ，１１ｂにより押さえられた蓋板７ａ，７ｂの溝１３内に係止片１２ａ，１２ｂが容易に抜けないように係止されるので、被収納物によって蓋板７ａ，７ｂが簡単に開くことはない。
【００３１】
蓋板７ａ，７ｂを開ける場合は、係止片１２ａ，１２ｂを指でつまんで引き上げることにより、蓋板７ａ，７ｂが上側に盛り上がり溝１３の幅が広がって係止片１２ａ，１２ｂの両端が切断線９ａ，９ｂの縁から外れて引き抜かれて係止を容易に解除することができる。
【図面の簡単な説明】
【００３２】
【図１】本発明の再封機能付紙箱を展開した板紙の平面図である。
【図２】本発明の再封機能付紙箱を開封後に蓋をする手順を示す図である。
【図３】従来のジッパー付き紙箱の一例を示す斜視図である。
【図４】図３に示す紙箱のジッパーを切除した後に蓋をする手順を示す図である。
【図５】従来のジッパー付き紙箱の別の例を示す斜視図である。
【符号の説明】
【００３３】
１：第１側面板
２：前面板
３：第２側面板
４：後面板
５：山折り線
６：貼着用板
７ａ，７ｂ：蓋板
８ａ，８ｂ：底面板
９ａ，９ｂ：切断線
１０ａ，１０ｂ：のり代
１１ａ，１１ｂ，１１ｃ，１１ｄ：蓋支持板
１２ａ，１２ｂ：係止片
１３：溝
１４：差し込み片
１５：差し込み用スリット
【図１】
2006321553.tif 000003
【図２】
2006321553.tif 000004
【図３】
2006321553.tif 000005
【図４】
2006321553.tif 000006
【図５】
2006321553.tif 000007